(57)【特許請求の範囲】
【請求項１】
坑井から所定期間中に産出される液体量をポンピングユニットにより計測することと、前記所定期間中に第１ポンプカードの第１領域を決定することと、前記第１領域を合計することと、前記産出された液体量及び前記合計された第１領域に基づいて、ポンピングユニットのダウンホールポンプにおける漏れ量の比例定数を決定することと、を含む方法。
【請求項２】
前記ポンピングユニットを継続的に動作している間、第２ポンプカードの第２領域を決定することをさらに含む、請求項１に記載の前記方法。
【請求項３】
前記漏れ量の比例定数及び前記第２領域に基づいて前記ポンピングユニットのストローク中に産出される正味の液体を決定することをさらに含む、請求項２に記載の前記方法。
【請求項４】
前記産出される液体量を前記計測することが、坑井テストセパレータを用いてセパレータの状態において前記産出される液体を計測することを含む、請求項１から請求項３のいずれか１項に記載の前記方法。
【請求項５】
前記所定期間中に第１ポンプカードの前記第１領域を決定することが、前記第１領域を決定するためにロッドポンプコントローラを用いることを含む、請求項１から請求項４のいずれか１項に記載の前記方法。
【請求項６】
第２の所定期間を超えてポンピングユニットが継続的に動作している間に第２ポンプカードの第２領域を決定することをさらに含む、請求項１から請求項５のいずれか１項に記載の前記方法。
【請求項７】
前記比例定数及び前記第２領域に基づいて前記第２の所定期間中に産出される正味の液体を決定することをさらに含む、請求項６に記載の前記方法。
【請求項８】
前記漏れ量の比例定数が、前記ポンピングユニットの前記ダウンホールポンプにわたる圧力差にさらに基づいて決定される、請求項１から請求項７のいずれか１項に記載の前記方法。
【請求項９】
ポンピングユニットと共に用いるための筐体と、前記筐体内に配置されるプロセッサと、を含む器具であり、前記プロセッサは所定期間中に第１ポンプカードの第１領域を決定し、前記第１領域を合計し、前記所定期間中に前記ポンピングユニットのダウンホールポンプにより産出された液体量及び前記合計された第１領域に基づいて、前記ダウンホールポンプの漏れ量の比例定数を決定する、器具。
【請求項１０】
前記プロセッサが、第２ポンプカードの第２領域を決定するためのものである、請求項９に記載の器具。
【請求項１１】
前記プロセッサが、前記漏れ量の比例定数及び前記第２領域に基づいて前記ポンピングユニットのストローク中に産出される正味の液体を決定するためのものである、請求項１０に記載の器具。
【請求項１２】
前記器具が、ロッドポンプコントローラを含む、請求項９から請求項１１のいずれか１項に記載の器具。
【請求項１３】
前記プロセッサが、第２の所定期間を超えて前記ポンピングユニットが継続的に動作している間に第２ポンプカードの第２領域を決定するためのものである、請求項９から請求項１２のいずれか１項に記載の器具。
【請求項１４】
前記プロセッサが、前記比例定数及び前記第２領域に基づいて前記第２の所定期間中に産出される正味の液体を決定するためのものである、請求項１３に記載の器具。
【請求項１５】
前記プロセッサが、前記ダウンホールポンプにわたる圧力差にさらに基づいて前記漏れ量の比例定数を決定するためのものである、請求項９から請求項１４のいずれか１項に記載の前記器具。
【発明の詳細な説明】
【技術分野】
【０００１】
本開示は、一般的にダウンホールポンプに関し、より詳細には、ダウンホールポンプの産出を決定する方法及び器具に関する。
【背景技術】
【０００２】
ダウンホールポンプは、穴に対してピストンが動くことによる構造からポンプ流体に用いられる。ダウンホールの破片がダウンホールポンプの動作に悪影響を与えないようにするために、ピストンと穴の間に隙間が確保される。しかしながら、隙間はピストンと穴の間に漏出をもたらす。
【図面の簡単な説明】
【０００３】
【図１】本開示の教示に従って、坑井の産出を決定するために用いられる例示的器具を含むポンプユニットを示す。
【図２】本開示の教示に従って生成できる例示的表面動力計カードを示す。
【図３】本開示の教示に従って生成できる実施例ポンプ動力計カードを示す。
【図４】図１の例示的装置の実行に用いられる例示的方法を表すフローチャートである。
【図５】図４の方法及び／または図１の器具を実行するためのプロセッサプラットフォームである。
【０００４】
図面は実物大ではない。可能な限り、同じまたは類似の部分を指すために、図面及び添付の明細書にわたって同じ参照番号が用いられる。
【発明の概要】
【０００５】
本開示の教示に従って、ダウンホール往復動式ポンプに関する情報は、対応する坑井からの産出を見積もるために用いられる。特に、坑井からの産出は、ポンピングユニットのストローク数、ダウンホールポンプの形状及び／または例示的漏れ量の比例定数に基づき推定される。いくつかの実施例では、漏れ量の比例定数は、ポンプのプランジャまたはピストンとその穴の間の隙間に相当する。本明細書に説明されるように、漏れ量の比例定数は、テスト期間中に観察された産出量、テスト期間中のポンプカード領域の合計及びダウンホールポンプにわたる圧力差に基づいて決定されてもよい。
【０００６】
図１は、ポンピングユニットの均衡を保つ既知のクランクアーム及び／または坑井１０２から石油を産出するのに用いることができるポンピングユニット１００を示す。ポンピングユニット１００は、ベース１０４、サンプソンポスト１０６及び移動ビーム１０８を含む。ポンピングユニット１００はさらに、ギアボックス１１４を回転しその後にクランクアーム１１６及びカウンターウエイト１１８を回転するためにベルト及び滑車システム１１２を駆動するモータまたはエンジン１１０を含む。連結棒１２０は、クランクアーム１１６と移動ビーム１０８との間に連結され、それによりクランクアーム１１６の回転が連結棒１２０及び移動ビーム１０８を動かす。移動ビーム１０８は、回転軸及び／またはサドルベアリング１２２の周囲で旋回し、移動ビーム１０８は、添え金１２８、磨きロッド１３０、管状弦１３２及び棒状弦１３４を介してダウンホールポンプ１２６を往復運動させるために馬頭１２４を動かす。ポンプ１２６を往復運動させることで、周辺の地層１４０から液体を引き出すためにポンプ１２６の穴１３８の中でポンプ１２６のピストン１３６を動かす。
【０００７】
破片が製造に悪影響を与えないように、及び／または穴１３８に対するピストン１３６
の動きに悪影響を与えないのを確認するために、隙間及び／または切れ目がピストン１３６と穴１３８の間に供給される。隙間は、ポンピングユニット１００の各ストロークによりポンプ１２６が産出する液体量を削減する。
【０００８】
ポンプ１２６からの生産量を正確に決定するために、ポンピングユニット１００は、例示的器具及び／またはロッドポンプコントローラ１４２を含む。この実施例では、ポンピングユニット１００からのデータ及び／またはポンピングユニット１００に関するデータは、器具１４２の入力／出力（Ｉ／Ｏ）装置１４４により受け取られ、かつプロセッサ１４８によりアクセス可能なメモリ１４６に格納される。以下に記述されるように、プロセッサ１４８は、例えば、例示的漏れ量の比例定数（例えば、ｉｎ２／ｌｂｆ）、ポンプ１２６を通じて漏れる液体量（例えば、ｉｎ３）及び／またはポンピングユニット１００のストロークで、及び／または規定の時間中に産出される正味の液体量を決定するために過程を実行できる。
【０００９】
例えば、プロセッサ１４８は、ＬＫＧがポンプ１２６を通じて漏れる液体量を表し、ＣＬＫＧが漏れ量の比例定数を表し、かつＡＰＣがポンプカードの領域を表す以下の方程式１を用いて、ピストン１３６と穴１３８の間でポンプ１２６を通じて漏れる液体量を決定できる。
【００１０】
方程式１：ＬＫＧ＝ＣＬＫＧ＊ＡＰＣ
【００１１】
この実施例では、プロセッサ１４８は、ΔＰがポンプ１２６にわたる圧力差（例えば、ポンプ吐出圧力とポンプ吸入圧力の差）を表し、Ｐｏｂｓｅｒｖｅｄがポンピングユニット１００の一連のストロークにより産出される総観察産出量（例えば、所定の時間中における総産出量）を表し、かつΣ（ＡＰＣ）がポンプカードの領域における合計を表す方程式２を用いて、漏れ量の比例定数を決定できる。いくつかの実施例では、坑井から産出された液体は、坑井テストセパレータ１５０を用いてセパレータの状態において直接計測される。
【００１２】
【数１】
0006616396.tif 000002
【００１３】
この実施例では、プロセッサ１４８は、Ｖｓｔｒｏｋｅがピストン１３６と穴１３８の間の隙間が漏出非ゼロという場合ではないという、漏出が見られない場合のストローク中に産出される液体量を表す方程式３を用いて、ポンプストロークＩＰｓｔｒｏｋｅによる正味の流体産出を決定できる。
【００１４】
【数２】
0006616396.tif 000003
【００１５】
この実施例では、Ｖｓｔｒｏｋｅが方程式４によって表すことができるため、方程式３は以下の方程式５に述べられるように書き換えることができる。
【００１６】
【数３】
0006616396.tif 000004
【００１７】
【数４】
0006616396.tif 000005
【００１８】
この実施例では、方程式６に述べられ、かつ方程式５に基づくように、ポンピングユニット１００の一連のストローク中における総観察産出量、Ｐｏｂｓｅｒｖｅｄは、ポンプカードの領域Σ（ＡＰＣ）、ポンプ１２６にわたる圧力差ΔＰ及び漏れ量の比例定数ＣＬＫＧに関連できる。
【００１９】
【数５】
0006616396.tif 000006
【００２０】
方程式２に説明されるように、方程式６は、漏れ量の比例定数ＣＬＫＧを解明するために書き換えることができる。
【００２１】
図２は、時間に対する磨きロッド１３０の垂直変位に関するデータ及び時間に対する磨きロッド１３０の張力に関するデータを用いて、本開示の教示に従って生成できる例示的表面動力計カード２００を示す。いくつかの実施例では、表面動力計カード２００は、ダウンホールポンプ１２６が十分な量の液体を汲み上げるよう通常動作するというシナリオを表す。図２に示されるように、ｘ軸２０２は磨きロッド１３０の位置に対応し、ｙ軸２０４は磨きロッド１３０の負荷に対応する。
【００２２】
参照番号２０６は、磨きロッド１３０が液柱を持ち上げ始めるための上昇運動を始める時に対応する。参照番号２０６と２０８の間では、磨きロッド１３０が伸びて液柱が持ち上がるにつれて、磨きロッド１３０の張力増加が示される。参照番号２０８は、ポンピングユニット１００が棒状弦１３４の重さ及び加速液柱の重さを支持する時に対応する。参照番号２０８と２１０の間では、上昇運動が続くにつれて磨きロッド１３０の負荷を波動させる表面に力の波が現れる。参照番号２１０は、磨きロッド１３０が最大上方変位に達する時に対応する。参照番号２１０と２１２の間では、流体負荷が棒状弦１３４から管状弦１３２へ移動し、磨きロッド１３０の張力減少を引き起こす。参照番号２１２は、負荷が実質的及び／または完全的に管状弦１３２へ移動された時に対応する。参照番号２１２と２０６の間では、下降運動が続くにつれて力の波が表面に反映し、磨きロッド１３０が最も低い点に達し、他のストロークを開始するまで磨きロッド１３０に不規則な負荷を引き起こす。
【００２３】
図３は、磨きロッド１３０の位置及び磨きロッド１３０の負荷に関するデータを用いて、本開示の教示に従って生成できる例示的ポンプ動力計カード３００を示す。いくつかの実施例では、ポンプ動力計カード３００は、表面で計測されたデータを用いて生成される。図３に示されるように、ｘ軸３０２はダウンホールポンプの位置に対応し、ｙ軸３０４
はダウンホールポンプの負荷に対応する。
【００２４】
器具１４２の例示的実装方法が図１において説明される一方で、図１に説明される１つ以上のエレメント、プロセス及び／または装置は組み合わされてもよく、分けられてもよく、再配置されてもよく、省略されてもよく、削除されてもよく、及び／またはあらゆる他の方法で実行されてもよい。さらに、Ｉ／Ｏ装置１４４、メモリ１４６、プロセッサ１４８及び／またはより一般的には、図１の例示的器具１４２が、ハードウェア、ソフトウェア、ファームウェア及び／またはハードウェア、ソフトウェア及び／またはファームウェアのあらゆる組み合わせにより実行されてもよい。よって、例えば、Ｉ／Ｏ装置１４４、メモリ１４６、プロセッサ１４８及び／またはより一般的には、図１の例示的器具１４２のいずれかは、１つ以上のアナログまたはデジタル回路、論理回路、プログラマブルプロセッサ、特定用途向け集積回路（ＡＳＩＣ）、プログラマブル論理装置（ＰＬＤ）及び／またはフィールドプログラマブル論理装置（ＦＰＬＤ）によって実行でき得る。本特許明細書の請求するあらゆる器具またはシステムを読み取る際、純粋なソフトウェア及び／またはファームウェア実行を対照とするために読まれ、少なくとも１つの例示的Ｉ／Ｏ装置１４４、メモリ１４６、プロセッサ１４８及び／または、より一般的には、図１の例示的器具１４２は、ソフトウェア及び／またはファームウェアを格納する有形のコンピュータ読み取り可能な記憶装置またはメモリ、デジタル多用途ディスク（ＤＶＤ）、コンパクトディスク（ＣＤ）、ブルーレイディスク等といった記憶ディスクを含むために、ここに明確に定義される。さらに、図１の例示的器具１４２は１つ以上のエレメント、プロセス及び／または装置を含み、さらに、または代わりに、図１に説明されるこれらは、及び／または説明されるエレメント、プロセス及び装置のいずれか１つ以上または全てを含んでもよい。図１が従来のクランクバランス型ポンピングユニットを描写する一方で、本明細書に開示される実施例は、あらゆる他のポンピングユニットと連結して実行できる。
【００２５】
図１の器具１４２を実行するための例示的方法のフローチャート表示は、図４に示される。この実施例では、図４の方法は、図５に関連して以下に記述される例示的プロセッサプラットフォーム５００に示されるプロセッサ５１２といったようなプロセッサにより実行されるプログラムを含む指示を読み取り可能な機械により実行されてもよい。プログラムは、ＣＤ−ＲＯＭ、フロッピーディスク、ハードドライブ、デジタル多用途ディスク（ＤＶＤ）、ブルーレイディスク、またはプロセッサ５１２に関するメモリといったような有形のコンピュータ読み取り可能な記憶媒体に格納されるソフトウェアに組み込まれてもよいが、全てのプログラム及び／またはそれらの一部は代わりに、プロセッサ５１２以外の装置により実行されるか及び／またはファームウェアまたは専用ハードウェアに組み込むことができる。さらに、例示的プログラムは、図４に説明されるフローチャートを参照して記述されるが、例示的器具１４２を実行する多くの他の方法が代わりに用いられてもよい。例えば、ブロックの実行順は変更されてもよく、及び／または記述されるブロックのいくつかは変更、削除、または組み合わされてもよい。
【００２６】
前述のように、図４の例示的方法は、ハードディスクドライブ、フラッシュメモリ、リードオンリーメモリ（ＲＯＭ）、コンパクトディスク（ＣＤ）、デジタル多用途ディスク（ＤＶＤ）、キャッシュ、ランダムアクセスメモリ（ＲＡＭ）及び／または任意の期間中（例えば、長期間、永久に、短時間のケースで、一時的なバッファリングで、及び／または情報のキャッシュ中に）、情報が格納される他の記憶装置または記憶ディスクといったような有形のコンピュータ読み取り可能な記憶媒体に格納された、コード化された指示（例えば、コンピュータ及び／または機械読み取り可能な指示）を用いて実行されてもよい。本明細書に用いられるような、有形のコンピュータ読み取り可能な記憶媒体という用語は、あらゆるタイプのコンピュータ読み取り可能な記憶装置及び／または記憶ディスクを含むため、及び伝播信号を除外するため、及び伝送媒体を除外するために明確に定義される。本明細書に用いられるような、「有形のコンピュータ読み取り記憶媒体」及び「有形
の機械読み取り記憶媒体」は、区別なく用いられる。追加的にまたは代替的に、図４の例示的方法は、ハードディスクドライブ、フラッシュメモリ、リードオンリーメモリ、コンパクトディスク、デジタル多用途ディスク、キャッシュ、ランダムアクセスメモリ及び／または任意の期間中（例えば、長期間、永久に、短時間のケースで、一時的なバッファリングで、及び／または情報のキャッシュ中に）、情報が格納される他の記憶装置または記憶ディスクといったような持続性のコンピュータ及び／または機械読み取り可能な媒体に格納された、コード化された指示（例えば、コンピュータ及び／または機械読み取り可能な指示）を用いて実行されてもよい。本明細書に用いられるような、持続性のコンピュータ読み取り可能な媒体という用語は、あらゆるタイプのコンピュータ読み取り可能な記憶装置及び／または記憶ディスクを含むため、及び伝播信号を除外するため、及び伝送媒体を除外するために明確に定義される。本明細書に用いられるような、「少なくとも」というフレーズが特許請求の序文における移行用語として用いられる時、非限定的である「備える」という用語と同じように、非限定的である。
【００２７】
図４の方法は、ポンプ１２６（ブロック４０２）にわたる圧力差の決定により開始する。ブロック４０４では、第１の所定期間中及び／または第１の所定ストローク数での坑井１０２からの液体産出を直接計測するプロセスが開始する（ブロック４０４）。ポンピングユニット１００の一連のストロークで坑井１０２から産出された液体は、直接計測される（ブロック４０６）。いくつかの実施例では、液体は、坑井テストセパレータ１５０を用いてセパレータの状態において直接計測される。ブロック４０８では、ポンピングユニット１００がストロークを完了したことをプロセッサ１４８が判断する（ブロック４０８）。いくつかの実施例では、プロセッサ１４８は、クランクアーム１１６に隣接するセンサから受けたフィードバックに基づいてポンピングユニット１００がストロークを完了したことを判断する。ポンピングユニット１００のストロークが完了していない場合、坑井１０２から産出された液体を直接計測するための方法は継続する（ブロック４０６）。
【００２８】
しかしながら、ポンピングユニット１００がストロークを完了した場合は、プロセッサ１４８は、例えば決定された表面カードに基づいてポンプカードを計算する（ブロック４１０）。ポンプカードを用いて、プロセッサ１４８はポンプカードの領域を決定する（ブロック４１２）。ブロック４１４では、プロセッサ１４８は、所定期間が開始した以降に決定されるポンプカードの領域を計算する（ブロック４１４）。プロセッサ１４８はその後、期間が経過する及び／またはポンピングユニット１００の所定のストローク数が生じたことを判断する（ブロック４１６）。第１の所定期間が経過しないか及び／または所定のストローク数が生じない場合には、坑井から産出された液体は計測され続ける（ブロック４０６）。
【００２９】
しかしながら、第１の所定期間が経過したか及び／または所定のストローク数が生じた場合には、第１の所定期間中に産出された総液体量が決定される（ブロック４１８）。ブロック４２０では、プロセッサ１４８は漏れ量の比例定数を決定する（ブロック４２０）。いくつかの実施例では、例示的漏れ量の比例定数は、ポンプ１２６にわたる圧力差、ポンプカードの領域の合計及び第１の所定期間中に産出された第１の総液体量に基づく方程式２を用いて決定される。
【００３０】
ブロック４２２では、通常動作中のポンピングユニット１００及び・又はポンピングユニット１００が継続的に動作している間の産出は、第２の所定期間中に決定される及び／または推測される（ブロック４２２）。第２の所定期間は、例えば、１日、１週間、１ヶ月等であってもよい。プロセッサ１４８はその後、ポンピングユニット１００がストロークを完了したかどうかを判断する（ブロック４２４）。ポンピングユニット１００のストロークが完了していない場合、方法は、ストロークが完了するかどうかを繰り返し判断する。
【００３１】
しかしながら、ポンピングユニット１００がストロークを完了したことをプロセッサ１４８が判断した場合でも、プロセッサ１４８は、例えば決定された表面カードを用いてポンプカードを計算する（ブロック４２６）。ポンプカードを用いて、プロセッサ１４８はポンプカードの領域を決定する（ブロック４２８）。
【００３２】
ブロック４３０では、プロセッサ１４８は、ポンピングユニット１００のストロークによる産出（ブロック４３０）を推測する及び／または決定する。いくつかの実施例では、ポンピングユニット１００のストロークによる産出は、ポンプ１２６にわたる圧力差、ポンプカードの領域及び第１の所定期間中に産出された液体量に基づく方程式５を用いて決定される。
【００３３】
ブロック４３２では、プロセッサ１４８は、第２の所定期間が開始した以降に決定されるストロークによる産出を合計する（ブロック４３２）。プロセッサ１４８はその後、第２の所定期間が経過したかどうかを判断する（ブロック４３４）。第２の所定期間が経過していない場合、ポンピングユニット１００がストロークを完了したことをプロセッサ１４８が判断する（ブロック４２４）。
【００３４】
図５は、図４の方法を実行するため及び／または図１の器具を実行するために指示を実行できる例示的プロセッサプラットフォーム５００のブロック図である。プロセッサプラットフォーム５００は、例えば、サーバ、パーソナルコンピュータ、携帯機器（例えば、携帯電話、スマートフォン、ｉＰａｄ（登録商標）といったようなタブレット）、またはあらゆる他のタイプのコンピューティング機器であり得る
【００３５】
説明された実施例のプロセッサプラットフォーム５００は、プロセッサ５１２を含む。説明された実施例のプロセッサ５１２は、ハードウェアである。例えば、プロセッサ５１２は、望ましい製品系列または製造業者からの１つ以上の集積回路、論理回路、マイクロプロセッサまたはコントローラにより実行できる。
【００３６】
説明された実施例のプロセッサ５１２は、ローカルメモリ５１３（例えば、キャッシュ）を含む。説明された実施例のプロセッサ５１２は、揮発性メモリ５１４及び不揮発性メモリ５１６を含むメインメモリと、バス５１８を介して通信する。揮発性メモリ５１４は、同期型ダイナミックランダムアクセスメモリ（ＳＤＲＡＭ）、ダイナミックランダムアクセスメモリ（ＤＲＡＭ）、ＲＡＭＢＵＳダイナミックランダムアクセスメモリ（ＲＤＲＡＭ）及び／またはあらゆる他のタイプのランダムアクセスメモリ装置により実行されてもよい。不揮発性メモリ５１６は、フラッシュメモリ及び／またはあらゆる他の望ましいタイプのメモリ装置により実行されてもよい。メインメモリ５１４、５１６へのアクセスは、メモリコントローラによりコントロールされる。
【００３７】
説明された実施例のプロセッサプラットフォーム５００はさらに、インターフェース回路５２０を含む。インターフェース回路５２０は、イーサネットインターフェース、ユニバーサルシリアルバス（ＵＳＢ）、及び／またはＰＣＩ  ｅｘｐｒｅｓｓインターフェースといったあらゆるタイプのインターフェース規格により実行されてもよい。
【００３８】
説明された実施例では、１つ以上の入力装置５２２はインターフェース回路５２０に接続される。入力装置５２２は、ユーザがプロセッサ５１２へデータ及び指示を入力することを許可する。入力装置は、例えば、音声センサ、マイクロフォン、キーボード、ボタン、マウス、タッチスクリーン、トラックパッド、トラックボール、ｉｓｏポイント及び／または音声認識システムによって実行できる。
【００３９】
１つ以上の出力装置５２４はさらに、説明される実施例のインターフェース回路５２０に接続される。出力装置５２４は、例えば、表示装置（例えば、発光ダイオード（ＬＥＤ）、有機発光ダイオード（ＯＬＥＤ）、液晶ディスプレイ、陰極線管ディスプレイ（ＣＲＴ）、タッチスクリーン、触知性出力装置、発光ダイオード（ＬＥＤ）、プリンタ及び／またはスピーカ）によって実行できる。よって、説明される実施例のインターフェース回路５２０は、一般的にグラフィックスドライバカードを含む。
【００４０】
説明される実施例のインターフェース回路５２０はさらに、ネットワーク５２６（例えば、イーサネット通信、デジタル加入者線（ＤＳＬ）、電話線、同軸ケーブル、携帯電話システム等）を介して外部機器（例えば、あらゆる種類のコンピューティング装置）とのデータ交換を手助けする、トランスミッタ、レシーバ、トランシーバ、モデム及び／またはネットワークインタフェースカードを含む。
【００４１】
説明される実施例のプロセッサプラットフォーム５００はさらに、ソフトウェア及び／またはデータを格納するための１つ以上の大容量記憶装置５２８を含む。そういった大容量記憶装置５２８の実施例は、フロッピーディスクドライブ、ハードドライブディスク、コンパクトディスクドライブ、ブルーレイディスクドライブ、ＲＡＩＤシステム、及びデジタル多用途ディスク（ＤＶＤ）ドライブを含む。
【００４２】
図４の方法を実行するためのコード化された指示は、大容量記憶装置５２８、揮発性メモリ５１４、不揮発性メモリ５１６、及び／またはＣＤまたはＤＶＤといった取り外し可能な有形のコンピュータ読み取り可能な記憶媒体に格納されてもよい。
【００４３】
前述から、上記に開示の方法、器具及び製造の論説は、例えば、坑井から液体の単一容積測定単位を汲み上げる作業で用いられる吸引棒状弦のポンピングユニットにより実行される作業に関連付けてダウンホール往復運動ポンプの産出を決定することに関することが明らかとなる。この関係性を用いて、ポンピングユニットの単一ストローク中にポンピングユニットにより実行される作業は、ストローク中に産出される液体量を見積もるのに用いることができる。見積もられた各ストロークによる産出は、ポンピングユニットの産出評価を推測、見積もり及び／または決定するために期間（例えば、時間毎、日毎、月毎、等）を超えて合計できる。
【００４４】
少なくともいくつかの実施例では、ロッドポンプコントローラはダウンホールポンプカードを産出しない。よって、本明細書に開示される実施例は、中度から低度の計算能力のコンピューティングプラットフォームに組み込むことができる。本明細書に開示される実施例を用いて、正味の液体ストローク、液体負荷またはダウンホールカードからの他のそういったパラメータを識別するためにダウンホールポンプカードを分析する必要はない。少なくともいくつかの実施例では、漏れ量の比例定数は坑井テストに関する計算を用いて決定されるので、漏出テストは実行されない。
本明細書に開示される実施例は、フィールドコントローラに実装できる。
【００４５】
本明細書に述べられるように、方法は、所定期間中にポンピングユニットにより坑井から産出される液体量を計測すること及び所定期間中の第１ポンプカードの第１領域を決定することを含む。方法はさらに、第１領域を合計することと、産出された液体量及び合計された第１領域に基づいてポンピングユニットのダウンホールポンプにおける漏れ量の比例定数を決定することと、を含む。
【００４６】
いくつかの実施例では、方法はさらに、ポンピングユニットを継続的に動作している間、第２ポンプカードの第２領域を決定することを含む。いくつかの実施例では、方法はさらに、漏れ量の比例定数及び第２領域に基づいてポンピングユニットのストローク中に産
出される正味の液体を決定することを含む。いくつかの実施例では、産出される液体量を計測することは、坑井テストセパレータを用いてセパレータの状態において産出される液体を計測することを含む。
【００４７】
いくつかの実施例では、所定期間中に第１ポンプカードの第１領域を決定することは、第１領域を決定するためにロッドポンプコントローラを用いることを含む。いくつかの実施例では、方法はさらに、第２の所定期間を超えてポンピングユニットが継続的に動作している間に第２ポンプカードの第２領域を決定することを含む。いくつかの実施例では、方法はさらに、比例定数及び第２領域に基づいて第２の所定期間中に産出される正味の液体を決定することを含む。いくつかの実施例では、漏れ量の比例定数は、ポンピングユニットのダウンホールポンプにわたる圧力差にさらに基づいて決定される。
【００４８】
例示的器具は、ポンピングユニットと共に用いるための筐体及び筐体内に配置されるプロセッサを含む。プロセッサは、所定期間中に第１ポンプカードの第１領域を決定し、産出される液体量を合計し、かつ坑井から所定期間中にポンピングユニットのダウンホールポンプにより産出された液体量及び合計された第１領域に基づいてダウンホールポンプの漏れ量の比例定数を決定するためのものである。
【００４９】
いくつかの実施例では、プロセッサは、ポンピングユニットが継続的に動作している間に第２ポンプカードの第２領域を決定するためのものである。いくつかの実施例では、プロセッサは、漏れ量の比例定数及び第２領域に基づいてポンピングユニットのストローク中に産出される正味の液体を決定するためのものである。いくつかの実施例では、器具はロッドポンプコントローラを含む。いくつかの実施例では、プロセッサは、第２の所定期間を超えてポンピングユニットが継続的に動作している間に第２ポンプカードの第２領域を決定するためのものである。いくつかの実施例では、プロセッサは、比例定数及び第２領域に基づいて、第２の所定期間中に産出される正味の液体を決定するためのものである。いくつかの実施例では、プロセッサは、ポンピングユニットのダウンホールポンプにわたる圧力差にさらに基づいて、漏れ量の比例定数を決定するためのものである。
【００５０】
特定の例示的方法、器具及び製造の論説が本明細書に記述されてきたが、本特許明細の適用範囲をそこに限定するものではない。むしろ、本特許明細書は、本特許明細書の請求項の範囲に明確に収まる全ての方法、器具及び製造の論説を適用する。
【図１】
0006616396.tif 000007
【図２】
0006616396.tif 000008
【図３】
0006616396.tif 000009
【図４】
0006616396.tif 000010
【図５】
0006616396.tif 000011